【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】
光源と、光源からの光を左眼用の光と右眼用の光とに屈折させて液晶表示パネルに対して照射する光学系部材とを、ケースに備える画像表示装置において、
前記ケースは、前記光源が配設される領域と前記光学系部材が配設される領域とを区画する区画部材により光源配設空間と光学系部材配設空間とを形成し、
ケース外部からの空気を前記光源配設空間に吸気するために形成される吸気口と、前記光源配設空間の空気をケース外部へと排気するために形成される排気口と、前記光源配設空間の空気を電気的駆動源の作動により入れ換えるファンと、から構成される換気手段を備え、
前記換気手段により前記光源配設空間のみの空気が流動し換気され、前記区画部材で区画形成された前記光学系部材配設空間の空気は流動しないようにしたことを特徴とする画像表示装置。
【請求項２】
前記光源を、光源ユニットとして、中空空間を形成した収納ホルダに収納し、
前記光源ユニットに、中空空間の空気の入れ換えを行うための導入口と排出口とを形成し、
前記区画部材は、光を透過するクリア部材で形成し、
前記光源ユニットは、前記区画部材により区画される前記光源配設空間に配設し、
前記換気手段は、前記光源配設空間の前記ケースの壁部に前記吸気口および前記排気口を設けて前記光源ユニット内を換気するものとしたことを特徴とする請求項１に記載の画像表示装置。
【請求項３】
前記光源を、光源ユニットとして、中空空間を形成した収納ホルダに収納すると共に、該光源の前面に光を特定の偏光にするための偏光フィルタを配設し、
前記光源ユニットに、中空空間の空気の入れ換えを行うための導入口と排出口とを形成し、
前記区画部材は、前記光源ユニットの周壁に沿うように形成して、前記偏光フィルタを前記光学系部材配設空間に位置させるように構成し、
前記換気手段は、前記区画部材により区画される前記光源配設空間の前記ケースの壁部に前記吸気口および前記排気口を設けて前記光源ユニット内を換気するものとしたことを特徴とする請求項１に記載の画像表示装置。
【請求項４】
前記区画部材は、前記光源ユニットの周壁に沿う大きさ及び形状の開口部が形成され、
該開口部に前記光源ユニットを嵌装して取り付けると前記偏光フィルタが前記光学系部材配設空間に位置することを特徴とする請求項３に記載の画像表示装置。
【請求項５】
前記光源を基板の表面に取り付けて、前記光源ユニットの中空空間を前記基板を介して基板表面側の前側空間と基板裏面側の後側空間とに区画し、
前記導入口と前記排出口とを前記後側空間に開口し、
前記換気手段は、前記光源ユニット内の前記後側空間を換気するものとしたことを特徴とする請求項３又は４に記載の画像表示装置。
【請求項６】
前記光源ユニットの収納ホルダを熱伝導性樹脂により形成したことを特徴とする請求項２〜５のいずれか一つに記載の画像表示装置。
【請求項７】
前記光源を取り付ける基板を金属部材により形成したことを特徴とする請求項１〜６のいずれか一つに記載の画像表示装置。
【請求項８】
光源と、光源からの光を左眼用の光と右眼用の光とに屈折させて液晶表示パネルに対して照射する光学系部材とを、ケースに備える画像表示装置において、
前記光学系部材を前記ケースに内装する一方、
前記光源を、光源ユニットとして、中空空間を形成した収納ホルダに収納して、前記光源ユニットを前記ケースに外装し、
前記光源ユニットに空気を吸気するために形成される吸気口と、前記光源ユニットの空気を外部へと排気するために形成される排気口と、前記光源ユニットの空気を電気的駆動源の作動により入れ換えるファンと、から構成される換気手段を備えたことを特徴とする画像表示装置。
【請求項９】
光源と、光源からの光を左眼用の光と右眼用の光とに屈折させて液晶表示パネルに対して照射する光学系部材とを、ケースに備える画像表示装置において、
前記ケースは、前記光源が配設される光源配設ケースと前記光学系部材が配設される光学系部材配設ケースとに分割構造に形成し、
ケース外部からの空気を前記光源配設ケースに吸気するために形成される吸気口と、前記光源配設ケースの空気をケース外部へと排気するために形成される排気口と、前記光源配設ケースの空気を電気的駆動源の作動により入れ換えるファンと、から構成される換気手段を備えたことを特徴とする画像表示装置。
【手続補正２】
【補正対象書類名】明細書
【補正対象項目名】００１０
【補正方法】変更
【補正の内容】
【００１０】
第４の発明は、第３の発明において、前記区画部材は、前記光源ユニットの周壁に沿う大きさ及び形状の開口部が形成され、該開口部に前記光源ユニットを嵌装して取り付けると前記偏光フィルタが前記光学系部材配設空間に位置することを特徴とする。
第５の発明は、第３又は第４の発明において、前記光源を基板の表面に取り付けて、前記光源ユニットの中空空間を前記基板を介して基板表面側の前側空間と基板裏面側の後側空間とに区画し、前記導入口と前記排出口とを前記後側空間に開口し、前記換気手段は、前記光源ユニット内の前記後側空間を換気するものとした。
【手続補正３】
【補正対象書類名】明細書
【補正対象項目名】００１１
【補正方法】変更
【補正の内容】
【００１１】
第６の発明は、第２〜第５の発明において、前記光源ユニットの収納ホルダを熱伝導性樹脂により形成した。
【手続補正４】
【補正対象書類名】明細書
【補正対象項目名】００１２
【補正方法】変更
【補正の内容】
【００１２】
第７の発明は、第１〜第６の発明において、前記光源を取り付ける基板を金属部材により形成した。
【手続補正５】
【補正対象書類名】明細書
【補正対象項目名】００１３
【補正方法】変更
【補正の内容】
【００１３】
第８の発明は、光源と、光源からの光を左眼用の光と右眼用の光とに屈折させて液晶表示パネルに対して照射する光学系部材とを、ケースに備える画像表示装置において、前記光学系部材を前記ケースに内装する一方、前記光源を、光源ユニットとして、中空空間を形成した収納ホルダに収納して、前記光源ユニットを前記ケースに外装し、前記光源ユニットに空気を吸気するために形成される吸気口と、前記光源ユニットの空気を外部へと排気するために形成される排気口と、前記光源ユニットの空気を電気的駆動源の作動により入れ換えるファンと、から構成される換気手段を備えた。
【手続補正６】
【補正対象書類名】明細書
【補正対象項目名】００１４
【補正方法】変更
【補正の内容】
【００１４】
第９の発明は、光源と、光源からの光を左眼用の光と右眼用の光とに屈折させて液晶表示パネルに対して照射する光学系部材とを、ケースに備える画像表示装置において、前記ケースは、前記光源が配設される光源配設ケースと前記光学系部材が配設される光学系部材配設ケースとに分割構造に形成し、ケース外部からの空気を前記光源配設ケースに吸気するために形成される吸気口と、前記光源配設ケースの空気をケース外部へと排気するために形成される排気口と、前記光源配設ケースの空気を電気的駆動源の作動により入れ換えるファンと、から構成される換気手段を備えた。
【手続補正７】
【補正対象書類名】明細書
【補正対象項目名】００１８
【補正方法】変更
【補正の内容】
【００１８】
第４の発明では、偏光フィルタが汚れることを防止でき、明るい画面を維持でき、クロストークを回避でき、区画部材をクリア（透明な）材質で形成せずにすむ。
第５の発明では、偏光フィルタの内面側ならびに発光部位が汚れることを防止でき、汚れによる光量減少を的確に防止できる。
【手続補正８】
【補正対象書類名】明細書
【補正対象項目名】００１９
【補正方法】変更
【補正の内容】
【００１９】
第６の発明では、光源の放熱性、冷却性を向上できる。
【手続補正９】
【補正対象書類名】明細書
【補正対象項目名】００２０
【補正方法】変更
【補正の内容】
【００２０】
第７の発明では、光源の放熱性を向上でき、光源を十分に効率よく冷却することができる。
【手続補正１０】
【補正対象書類名】明細書
【補正対象項目名】００２１
【補正方法】変更
【補正の内容】
【００２１】
第８の発明では、光学系部材をケースに内装する一方、光源を、光源ユニットとして、中空空間を形成した収納ホルダに収納して、光源ユニットをケースに外装するので、光源の冷却を一層行いやすくなる。また、光源の交換性に優れる。
【手続補正１１】
【補正対象書類名】明細書
【補正対象項目名】００２２
【補正方法】変更
【補正の内容】
【００２２】
第９の発明では、ケースを、光源が配設される光源配設ケースと光学系部材が配設される光学系部材配設ケースとに分割構造に形成するので、光源の交換性に優れる。